(57)【要約】【課題】  複数の発光素子に共通に設けられた電極と端子との間に接続されている複数の配線で生じる熱をより均一にする。【解決手段】  表示部の周囲において端子のある辺に設けられている第１の配線５と、端子と第１の配線とを接続する第２の配線５１と、表示部内の端子のある辺（Ｄ辺）とその対辺（Ｂ辺）との間に設けられており、第１の配線に接続されている第３の配線８と、を有する表示装置において、第１、第２、第３の配線における単位長さあたりの抵抗値Ｒ１、Ｒ２、Ｒ３は、Ｒ２＜Ｒ１＜Ｒ３の関係を満たす。【選択図】  図１
2009301013.tif 000002
【特許請求の範囲】
【請求項１】
基板と、
前記基板の上に設けられており、複数の発光素子により形成されている表示部と、
前記表示部の周囲において前記表示部の１辺に設けられている端子と、
前記表示部の周囲において前記１辺に設けられている第１の配線と、
前記端子と前記第１の配線とを接続する第２の配線と、
表示部内の前記１辺と前記１辺に対向する辺との間に設けられており、前記第１の配線に接続されている第３の配線と、を有し、
各発光素子は、前記基板の上に設けられている薄膜トランジスタと、前記薄膜トランジスタに接続されており、発光素子毎に独立して設けられている第１電極と、前記第１電極の上に形成されている発光層と、前記発光層の上に形成されており、前記発光素子の間を跨いで表示部内の複数の前記発光素子に連続して設けられており、かつ前記第３の配線に接続されている第２電極と、を有する表示装置において、
前記第１、第２、第３の配線における単位長さあたりの抵抗値Ｒ１、Ｒ２、Ｒ３は、Ｒ２＜Ｒ１＜Ｒ３の関係を満たすことを特徴とする表示装置。
【請求項２】
前記表示部において前記端子が設けられている前記１辺に隣り合う２辺の間に、第４の配線が設けられており、前記第３の配線の単位長さあたりの抵抗値は、前記第４の配線の単位長さあたりの抵抗値よりも小さいことを特徴とする請求項１に記載の表示装置。
【請求項３】
前記表示部は長方形であって、前記端子、前記第１の配線、及び前記第２の配線は、前記表示部の短辺に設けられており、
前記第１、第２、第３の配線の長さＬ１、Ｌ２、Ｌ３は、Ｌ３＞Ｌ１＞Ｌ２の関係を満たすことを特徴とする請求項１に記載の表示装置。
【発明の詳細な説明】
【技術分野】
【０００１】
本発明は、発光素子を表示部に有する表示装置に関するものである。
【背景技術】
【０００２】
近年、ＥＬ素子がＴＦＴ（薄膜トランジスタ）を有する基板の上にマトリクス状に配置されたアクティブマトリクス型有機ＥＬ表示装置が注目されている。
【０００３】
特許文献１には、光の取り出し側に画像表示部の全面に渡って形成されている第２電極は透明導電膜によって構成されている。この透明導電膜の膜厚が１００ｎｍ程度で形成されるシート抵抗は１００Ω／□以上であり、透明導電膜の抵抗による電力損失を補う旨が記載されている。そして電力損失を補うために画像表示部内に補助配線（第１補助配線２０）を設けることが記載されている。第１補助配線２０は、それに交差する方向に設けられた第２補助配線２１に接続され、さらに第２補助配線２１は、コンタクトホールを介して発光装置外周に設けられた配線２２に接続されている。配線２２は発光装置外周を引き回されて入出力端子１５に接続されている（図２乃至図４参照）。
【先行技術文献】
【特許文献】
【０００４】
【特許文献１】特開２００３−３１６２９１号公報
【発明の概要】
【発明が解決しようとする課題】
【０００５】
特許文献１において、第１補助配線２０、第２補助配線２１、及び配線２２を設けることにより、第２電極面内での電圧差を低減することができる。これらの配線には第２電極よりも低抵抗な材料が使われるため、配線に電流が集中することになる。さらに第２電極と端子（出入力端子）との間に設けられているこれらの配線の中でも、端子に近づくほど電流は集中することになる。即ち、第１補助配線２０、第２補助配線２１、配線２２の順で電流はより集中する。電流が集中する部分では、配線２２の発熱が相対的に大きくなるため、局所的に端子付近が発光装置内の他の領域に比べてより発熱が大きくなる。即ち、第１補助配線２０、第２補助配線２１、配線２２の順で発熱はより大きくなる。
【０００６】
しかしながら、このように局所的に発熱が大きい部分がある場合には、表示部内に設けられている発光素子に与える熱の影響が、発光素子によって異なるため、表示部内での素子の劣化にムラが生じてしまう。このような発熱による発光素子への影響は、特に発光素子が有機ＥＬ素子である場合に顕著である。
【０００７】
そこで、本発明は、複数の発光素子に共通に設けられた電極面内での電圧差を低減しつつ、複数の発光素子に共通に設けられた電極と端子との間に接続されている複数の配線で生じる熱をより均一にすることができる表示装置を提供することを目的とする。
【課題を解決するための手段】
【０００８】
本発明は上記課題を鑑みてなされ、上記目的は以下の構成によって達成される。
【０００９】
即ち、本発明に係る表示装置は、
基板と、
前記基板の上に設けられており、複数の発光素子により形成されている表示部と、
前記表示部の周囲において前記表示部の１辺に設けられている端子と、
前記表示部の周囲において前記１辺に設けられている第１の配線と、
前記端子と前記第１の配線とを接続する第２の配線と、
表示部内の前記１辺と前記１辺に対向する辺との間に設けられており、前記第１の配線に接続されている第３の配線と、を有し、
各発光素子は、前記基板の上に設けられている薄膜トランジスタと、前記薄膜トランジスタに接続されており、発光素子毎に独立して設けられている第１電極と、前記第１電極の上に形成されている発光層と、前記発光層の上に形成されており、前記発光素子の間を跨いで表示部内の複数の前記発光素子に連続して設けられており、かつ前記第３の配線に接続されている第２電極と、を有する表示装置であって、
前記第１、第２、第３の配線における単位長さあたりの抵抗値Ｒ１、Ｒ２、Ｒ３は、Ｒ２＜Ｒ１＜Ｒ３の関係を満たすことを特徴とする。
【発明の効果】
【００１０】
本発明の表示装置によれば、複数の発光素子に共通に設けられた電極と端子との間に接続されている複数の配線で生じる熱をより均一にすることができる。
【図面の簡単な説明】
【００１１】
【図１】本発明の第１の実施の形態に係る表示装置を示す平面模式図。
【図２】発光素子を含んだ電流設定方式の画素回路を示す図。
【図３】発光素子と第２電極の立体的な配置を説明する模式図。
【図４】第１の配線、第３の配線を含む断面構成を示す平面模式図。
【図５】本発明の第２の実施の形態に係る表示装置を示す平面模式図。
【図６】本発明の第３の実施の形態に係る表示装置を示す平面模式図。
【図７】本発明の第４の実施の形態に係るデジタルスチルカメラシステムの全体構成を示すブロック図。
【発明を実施するための形態】
【００１２】
本発明の表示装置は、基板と、基板の上に設けられており複数の発光素子により形成されている表示部と、表示部の周囲において表示部の１辺に設けられている端子と、表示部を構成する発光素子と端子との間を接続する第１、第２、及び第３の配線を有する。第１の配線は、表示部の周囲において表示部の１辺に設けられている配線である。第２の配線は、端子と第１の配線とを接続する配線である。第３の配線は、表示部内に、表示部の１辺とその１辺に対向する辺との間に設けられており、第１の配線に接続されている配線である。第３の配線は、隣り合う発光素子の間に設けられている配線である。ここで、表示部とは、表示部に形成された複数の発光素子によって画像情報を表示する部分のことである。ただし表示部には、発光素子以外にも表示には寄与しない素子を有していてもよい。表示部の周囲とは、表示装置における表示部の周辺領域（額縁領域）のことである。
【００１３】
表示部に形成されている各発光素子は、基板の上に設けられている薄膜トランジスタと、薄膜トランジスタに接続されている第１電極と、第１電極の上に形成されている発光層と、発光層の上に形成されている第２電極と、を有する。
【００１４】
第１電極は、発光素子毎に独立して設けられており、発光素子毎に異なる電流を印加できるようになっている。一方、第２電極は発光素子の間を跨いで表示部内の複数の発光素子に連続して設けられており、第３の配線に接続されている。第２電極は、複数の発光素子で同じ電位となるように設計されているが、第２電極が有する電気抵抗によって表示部の中央部分と周縁部分とでは電位差が生じる。それを低減するために端子と各発光素子の第２電極とを接続する、第１、第２、第３の配線が設けられている。
【００１５】
そして、本発明における表示装置では、第１、第２、第３の配線における単位長さあたりの抵抗値Ｒ１、Ｒ２、Ｒ３は、Ｒ２＜Ｒ１＜Ｒ３の関係を満たすことを特徴とする。本発明における長さとは、電流が流れる方向における長さのことであるが、各配線によってそれぞれ異なる。第１の配線における長さとは、表示部周囲の端子が位置する辺に沿った方向における長さのことである。また、第２の配線における長さとは、配線が真直に設けられている場合には、第１の配線と端子とを結ぶ方向における長さとし、配線が屈曲している場合には、配線上の各部分において電流が流れる方向における長さとする。第２の配線において、単位長さあたりの抵抗値が配線上の位置によって異なる場合には、単位長さあたりの抵抗値は、各位置における抵抗値の平均値とする。第３の配線における長さとは、表示部の１辺とその１辺に対向する辺とを結ぶ方向における長さのことであり、第３の配線における単位長さあたりの抵抗値とは、配線が複数本ある場合には１本あたりの抵抗値のことを指す。
【００１６】
本発明は、配線を流れる電流量に応じて配線の単位長さあたりの抵抗値を異ならせることにより、複数の発光素子に共通に設けられた電極と端子との間に接続されている複数の配線で生じる熱をより均一にすることができる。そして、発熱により与えられる発光素子への影響をより均一にし、長時間に渡って表示部内でより均一な表示を可能にする。
【００１７】
以下、本発明の表示装置における実施形態について図面を参照して具体的に説明する。
【００１８】
（第１の実施の形態）
図１（ａ）は第１の実施の形態における表示装置の平面模式図を示している。図１（ａ）において、１は表示部、２はデータ線駆動回路、３は走査線駆動回路、４は入力回路、５は第１の配線（共通配線）、５１は第２の配線（接続配線）、６は接着領域、７は端子、８は第３の配線（補助配線）である。
【００１９】
図１（ａ）に示す表示装置は、複数の発光素子がマトリクス状に配置された表示部１を有する。また、同一基板上に薄膜トランジスタによって構成され、Ｂ辺に配置され各発光素子に接続されたデータ線にデータ信号を供給するデータ線駆動回路２と、Ｃ辺に配置され各発光素子に接続された走査線に制御信号を供給する走査線駆動回路３を有する。映像信号や制御信号または電源を供給する端子７と、入力された制御信号を表示パネルの動作レベルに変換する入力回路４は、本実施の形態ではＤ辺に配置される。さらに、封止基板と表示部１を作成した基板とを貼り合わせて固着させるために設けられている接着領域６と、複数の発光素子の間を跨いで連続して形成されている第２電極に電気的に接続された第１の配線（共通配線）５と、を有する。第１の配線５は、表示部１の周囲において、少なくとも端子の位置する辺に設けられている配線である。そして第１の配線５と端子７は第２の配線（接続配線）５１によって接続されている。一方表示部１内には、第２電極に接続されている第３の配線（補助配線）８を有する。第３の配線８の端部は第１の配線５に接続されている。
【００２０】
図２に表示部１に構成される電流プログラミング型画素回路を示す。制御信号線Ｐ１，Ｐ２は接続された走査信号線駆動回路によって制御され、データ線駆動回路に接続されたデータ信号線Ｉ（ｄａｔａ）から電流データが入力される。発光素子の第１電極（本実施の形態では陽極）は、電源線Ｖｃｃと電流駆動薄膜トランジスタＭ１を介して接続されたスイッチング薄膜トランジスタＭ４に接続されている。また、接地電位ＣＧＮＤに接続された第２電極（本実施の形態では陰極）は複数の発光素子の間を跨いで共通に接続される。そして、図１（ａ）において、第２電極は第３の配線８に電気的に接続され、発光素子に流れる電流の大部分は第３の配線８に流れることになる。そして第３の配線８を流れる電流は第２の配線５、第３の配線５１を順に流れて、端子７に向かう。なお、表示部１に構成される画素回路は前記画素回路に限定されるものではなく、その他の電流プログラミング型画素回路やデータ信号を電圧として入力される電圧プログラミング型画素回路にも適用ができる。
【００２１】
図１（ａ）において、第１の配線５は、表示部１の周囲において端子７があるＤ辺に設けられている共通配線であり、表示部１内における複数の発光素子間での第２電極の電位差を低減することができる。しかも、第１の配線５は、端子７の方向に電流が集中するために起きる発熱を抑制することもできる。
【００２２】
図１（ａ）の例では、第１の配線５は、端子７のあるＤ辺にのみ設けられているが、Ｄ辺の第１の配線５に付け加えて、Ａ辺・Ｂ辺・Ｃ辺の少なくとも１辺に第１の配線と同様の共通配線を配置した構成であってもよい。図１（ｂ）の構成はＡ辺・Ｂ辺・Ｃ辺・Ｄ辺の全ての辺に共通配線を配置した構成である。この場合においても、本発明が規定する第１の配線５における単位長さあたりの抵抗値は、端子７のある辺における配線の単位長さあたりの抵抗値のことを指す。第２電極に流れた電流はＤ辺にある第１の配線５に集中するので、Ａ辺・Ｂ辺・Ｃ辺にある第１の配線における電流量はＤ辺にある第１の配線５における電流量よりも小さいことになる。そのため、Ａ辺・Ｂ辺・Ｃ辺にある第１の配線における電流量は第３の配線８における電流量よりも小さい場合もあるからである。Ａ辺・Ｂ辺・Ｃ辺にある第１の配線に流れる電流量はＤ辺よりも少ないため、Ａ辺・Ｂ辺・Ｃ辺にある第１の配線５の配線幅はＤ辺にある第１の配線５の配線幅よりも狭くできる。従って、Ａ辺・Ｂ辺・Ｃ辺の額縁サイズは、Ｄ辺の額縁サイズよりも低減できる効果を有する。
【００２３】
次に、第１の配線５と各発光素子との接続について詳細に説明する。図３は、発光素子が形成する画素領域と第２電極との立体的な配置を説明する概念図である。図３において、９は発光層を発光素子毎に区分して概念的に示したものであり、１０は第２電極である。図２では第１電極、発光層、第２電極、及び接地電位ＣＧＮＤは画素回路内部に含めて記述してあるが、図３を用いてその立体的な配置を含めて説明する。簡単のため、データ線駆動回路２、走査線駆動回路３、入力回路４、接着領域６、端子部７は省略する。
【００２４】
表示部１には画素回路が形成されており、薄膜トランジスタと接続されている第１電極が形成されている。その第１電極上に画素配列に合わせて発光層９を形成し、第１電極と発光層９を接合する。それから発光層９の上に第２電極１０を形成している。第２電極１０は表示部１の周辺に配置された第１の配線５の上にも形成される。その際、第１の配線５上に絶縁層が形成される場合には、コンタクトホール（不図示）を形成して第１の配線５の表面が露出される状態にする。
【００２５】
第２電極１０と第１の配線５の電気的な接続は、直接両者を接触させて接続する必要はなく、第３の配線を介して間接的に接続されても良い。このようにして第２電極１０と第１の配線５は電気的な接続がされて、第２電極は接地される。なお、第２電極と第１の配線５の電気的接続は、全ての辺において接続する必要はない。また、第１電極と第２電極はいずれが陰極であり陽極であっても良い。
【００２６】
発光素子を構成する発光層９は、有機ＥＬ材料であってもよいし、無機ＥＬ材料であってもよい。有機ＥＬ材料である場合には、配線の発熱による影響が顕著であるため、配線での発熱を均一にする工夫が特に求められる。なお、発光素子が有機ＥＬ素子である場合には、有機ＥＬ材料である発光層の他に、電子輸送層や正孔輸送層等のキャリア輸送層や、電子注入層や、正孔注入層等のキャリア注入層が設けられた構成であってもよい。
【００２７】
発光素子を構成する発光層９で発した光は第１電極および第２電極のいずれの電極を介して外部に取り出されてもよい。一般的には基板の上に設けられる薄膜トランジスタ等の画素回路を構成する回路素子を高密度で集積するために、第２電極から光を取り出す構成（トップエミッション構成）にすることが好ましい。この構成の場合、第２電極はＩＴＯやＩＺＯ等の透明導電材料、或いは光を十分透過するほどに薄い数ｎｍ〜３０ｎｍ程度の金属薄膜（Ａｌ、Ａｇ、Ｐｔ等）で形成される。第２電極は比較的抵抗が大きいため、表示部１内に形成された複数の発光素子で電位差が生じてしまう。それを低減するために、表示部の周囲に第１の配線５を形成している。
【００２８】
第２の配線５１は、第１の配線５と端子７とを接続する接続配線であるが、どのような形状のものであってもよい。端子７と第１の配線５の間の距離が長くなると発熱量が増えるため、より短い方が好ましい。例えば、図１（ａ）に示すように、第１の配線５と端子７との間に直線的に設けられているものが好ましい。また、第２の配線５１は、表示部１内の複数の発光素子の第２電極の電位をより均一にするために、表示部１の中央付近に設けられていることが好ましい。さらに、第１の配線５と第２の配線５１は同一の層で形成される部分を有することが望ましい。例えば、ＴＦＴプロセス工程においてソースドレインを形成する層やゲートを形成する層によって複数層で形成してもよい。同一層で形成されることによりパターニングプロセスが簡単になるだけでなく、電流の流れがより円滑になるため、余計な発熱を抑えることができるからである。
【００２９】
第３の配線８は、表示部１内の隣り合う発光素子の間に設けられている補助配線であり、端子７のある辺とその対辺との間に設けられている。第３の配線８は、表示部１内における複数の発光素子間での第２電極の電位差を低減することができ、しかも、端子７の方向に電流が集中するために起きる発熱を抑制することができる。そして、第３の配線８は、表示部１内では第２電極に接続されており、表示部１の外では、第２電極を介して或いは直接第１の配線５に接続されている。
【００３０】
表示部１内において、第３の配線８は、第２電極の上に設けられていてもよいし、第２電極の下（基板側）に設けられていてもよい。第２電極の上に設けられる場合には、蒸着法等のマスクプロセスによって形成されることが好ましく、第２電極の下に設けられる場合には、ＴＦＴを形成する際、或いは第１電極を形成する際に同時に形成されることが好ましい。後者の場合には、コンタクトホールを通じて第３の配線と第２電極とが接続される。
【００３１】
表示部１の周囲において、第３の配線８は、第１の配線５に対して交差する方向に形成されることになる。第３の配線８と第１の配線５とは、より確実に接続され電流が円滑に流れることが好ましいため、第１の配線５の幅方向における全ての部分で第３の配線８は第１の配線５と重なっていることが好ましい。さらに、配線のパターニング誤差があっても全ての部分で重畳させるために、第３の配線は、第１の配線を横断し、表示装置の端部方向に延在していることがより好ましい。
【００３２】
また、第３の配線８は第１の配線５の上に形成されていることが好ましい。第１の配線５には第３の配線８よりも電流が集中するため、第１の配線をより平坦にし、かつ第１の配線の長さをより短くすることにより、発熱を抑えることができるからである。つまり、第１の配線５、第３の配線８、及び発光素子を構成する第２電極１０との積層関係は、図４（Ａ）乃至（Ｃ）に示すいずれかになることが好ましい。第２電極１０が透明導電材料で形成される場合には、第１の配線５や第３の配線８に比べて抵抗が大きいため、第１の配線５と第３の配線８とは、図４（Ｂ）、（Ｃ）に示すように直接接続されることがさらに好ましい。また、このように第３の配線８が第１の配線５の上に形成される場合には、第１の配線５の側面においても第３の配線と接触するため、第３の配線は第１の配線を横断し、表示装置の端部方向に延在していることがより好ましいと言える。
【００３３】
次に、本発明における第１、第２、第３の配線における抵抗の関係について説明する。各発光素子を流れた電流は、複数の発光素子の間を跨いで連続して形成された第２電極、第３の配線、第１の配線、第２の配線を流れていく。このとき、電流は、第３の配線、第１の配線、第２の配線で集中するため、第１、第２、第３の配線を流れる電流量は、表示部１内に形成された第３の配線８が最も最も少なく、第１の配線、第２の配線の順で多くなる。そこで、本発明では、第１、第２、第３の配線における単位長さあたりの抵抗値Ｒ１、Ｒ２、Ｒ３がＲ２＜Ｒ１＜Ｒ３の関係を満たすようにする。配線を流れる電流量に応じて配線の単位長さあたりの抵抗値を異ならせることにより、表示部内の素子に共通に設けられた電極に接続された配線で生じる熱をより均一にすることができる。そして、発熱により与えられる発光素子への影響をより均一にし、長時間に渡って表示部内でより均一な表示を可能にする。
【００３４】
具体的に各配線の単位長さあたりの抵抗値を辺によって異ならせるためには、種々の方法があるが、例えば、各配線の幅、厚み、配線の材料の抵抗率を異ならせる方法がある。共通配線の幅を異ならせるとは、配線を流れる電流量が最も多い辺に設けられている配線の幅を、他の辺に設けられている配線の幅よりも広くすることである。また、各配線の厚みを異ならせるとは、配線を流れる電流量が最も多い辺に設けられている配線の厚みを、他の辺に設けられている配線の厚みよりも厚くすることである。配線の材料の抵抗率を異ならせるとは、配線を流れる電流量が最も多い辺に設けられている配線の材料の抵抗率を、他の辺に設けられている配線の材料の抵抗率よりも低くすることである。あるいは、各配線の幅、厚み、配線の材料の抵抗率等の複数を異ならせてもよい。
【００３５】
さらに、電流量が多い配線での発熱量を低減するために、図１（ａ）に示すように第１、第２、第３の配線長さＬ１、Ｌ２、Ｌ３は、Ｌ３＞Ｌ１＞Ｌ２の関係を満たすことが好ましい。このようにすることによって表示装置全体の発熱量を効果的に抑えることができるため、発光素子に与える影響を少なくするだけでなく、表示装置の消費電力を抑えることもできる。
【００３６】
本発明に係る表示装置において、データ線駆動回路と走査線駆動回路は、図１（ａ）に示すように一方の端子が形成されている辺の対辺に設けられており、他方の端子が形成されている辺に隣り合う辺に設けられていることが好ましい。データ線と走査線とは互いに交差する方向に配設されることが好ましいが、端子７が形成されている辺にいずれか一方を設けると、第１の配線の幅あるいは、第２の配線の長さを駆動回路の幅の分長くする必要があるため、発熱量が増加してしまうからである。
【００３７】
さらに、本実施の形態においてデータ線駆動回路２、走査信号線駆動回路３、入力回路４は同一基板上に薄膜トランジスタで構成した例を示したが、別の構成であってもよい。例えば、各回路機能を単結晶Ｓｉ上に構成したドライバＩＣで実現し、表示装置外部から端子部を通じて信号を入力した構成としてもよい。さらには、ドライバＩＣをＣＯＧのように基板上に実装して、基板上で各回路機能を実現してもよい。この場合、ドライバＩＣをＡ辺の端子部７横のスペースに配置すれば、Ｂ辺のデータ線駆動回路２とＣ辺の走査線駆動回路３を削除できることになり、表示装置の額縁サイズをさらに低減させることができる。
【００３８】
（第２の実施の形態）
図５（ａ）は第２の実施形態に係る表示装置の平面模式図を示している。具体的に、第１の実施形態との違いについて説明をする。
【００３９】
第１の実施の形態では端子７が長方形の表示部１に対して長辺に設けられている構成であったが、本実施の形態では、端子７が長方形の表示部１に対して短辺に設けられている構成である。
【００４０】
表示部における電流集中方向がパネルの長辺方向の場合、端子部７がパネル長辺に配置された構成と比較して、電圧上昇量が表示部内で大きな分布を持つ。そのため、パネルの長辺方向に補助配線を配置する構成は、表示部内における電圧上昇量の分布を抑制し、表示品質の向上に寄与する。
【００４１】
このように短辺に端子７が形成されている場合であっても、第１、第２、第３の配線を流れる電流量の関係は、第３の配線が最も少なく、第１の配線、第２の配線の順で多くなる。そのため、第１、第２、第３の配線における単位長さあたりの抵抗値Ｒ１、Ｒ２、Ｒ３が、Ｒ２＜Ｒ１＜Ｒ３の関係を満たすようにすることによって、第１の実施形態と同等の効果を得ることができる。
【００４２】
また、第１の実施の形態と同様に、図５（ｂ）に示すようにＡ辺・Ｂ辺・Ｃ辺・Ｄ辺の全ての辺に共通配線を設けることができる。
【００４３】
表示装置を携帯電話やコンパクトカメラ等の携帯型電子機器に搭載する場合、表示部の長手方向の狭額縁化が要求され、パネル外部と接続される外部接続端子は短手方向に配置されることが多い。そこで本実施の形態では、端子７が長方形の表示部１に対して短辺に設けることが有効な構成である。
【００４４】
なお、図５（ａ）及び図５（ｂ）の例では、配線の幅によって配線の単位長さあたりの抵抗値を異ならせているが、本実施の形態でも第１の実施の形態と同様に、配線の厚み、配線の抵抗率など種々の方法により抵抗値を異ならせることができる。
【００４５】
（第３の実施の形態）
図６（ａ）は第３の実施の形態に係る表示装置の平面模式図を示している。具体的に、第１の実施の形態との違いについて説明をする。
【００４６】
第１の実施の形態では、表示部内において端子のある長辺とその対辺との間に第３の配線が設けられている構成であったが、本実施の形態では、端子が設けられている長辺に隣り合う２辺の間に、更に第４の配線が設けられている構成である。従って、本実施の形態に係る表示装置は、表示部内にマトリクス状に補助配線が配設されている構成である。このようにすることによって、表示部内における複数の発光素子間での第２電極の電位差をさらに低減することができ、また表示部１内での発熱をより均一にすることができる。
【００４７】
なお、本実施の形態のようにマトリクス状に補助配線が配設されている場合においても、第１、第２、第３の配線における単位長さあたりの抵抗値は、第１の実施の形態と同様にＲ２＜Ｒ１＜Ｒ３の関係を満たすようにする。
【００４８】
第３の配線と第４の配線とでは、端子方向に配設される第３の配線の方が流れる電流量が多い。そのため、第３の配線の単位長さあたりの抵抗値が、第４の配線の単位長さあたりの抵抗値よりも小さくすることがより好ましい。このようにすることにより、表示部１内での発熱をより一層均一にすることができる。
【００４９】
第３、第４の配線の単位長さあたりの抵抗値を異ならせる方法は、配線の幅、配線の厚み、配線の材料の抵抗率など種々の方法により抵抗値を異ならせることができる。
【００５０】
配線の幅によって配線の抵抗値を異ならせる場合、即ち、第４の配線８に対して第３の配線の配線幅を太くする場合には、表示部の面積に対して発光素子の面積が占める割合（開口率）を考慮して配線の幅を設定することが好ましい。表示部内に補助配線を配設することは開口率を低下させる原因にもなるからである。
【００５１】
また、マトリクス状に補助配線を配設する形態においては、図６（ｂ）に示すように端子７が長方形の表示部１に対して短辺に設けられている構成であってもよい。
【００５２】
（第４の実施の形態）
上記第１乃至第３の実施の形態の表示装置を用いて、情報表示装置を構成することができる。この情報表示装置は携帯電話、携帯コンピュータ、デジタルスチルカメラ、ビデオカメラ、テレビ受像機、携帯音楽再生装置、ナビゲーションシステム、ＰＣモニタのいずれかの形態をとる。もしくはそれらの各機能の複数を実現する装置である。
【００５３】
図７は、デジタルスチルカメラシステムの一例のブロック図である。１１はデジタルスチルカメラシステム、１２は撮影部、１３は映像信号処理回路、１４は表示装置、１５はメモリ、１６はＣＰＵ、１７は操作部を示す。撮像部１２で撮影した映像または、メモリ１５に記録された映像を、映像信号処理回路１１で信号処理し、表示パネル１２で見ることができる。ＣＰＵ１６では、操作部１５からの入力によって、撮影部１２、メモリ１５、映像信号処理回路１３などを制御して、状況に適した撮影、記録、再生、表示を行う。また、表示装置１４は、この他にも各種電子機器の表示部として利用できる。
【００５４】
なお、上記の第１乃至第４の各実施の形態において、ＥＬ素子を用いた表示装置を例に挙げて説明したが、それに限らず、例えばＰＤＰ（Ｐｌａｓｍａ  Ｄｉｓｐｌａｙ  Ｐａｎｅｌ）やＦＥＤ（Ｆｉｅｌｄ  Ｅｍｉｓｓｉｏｎ  Ｄｉｓｐｌａｙ）等の電流駆動型表示装置に適用可能である。
【符号の説明】
【００５５】
１  表示部
５  第１の配線（共通配線）
５１  第２の配線（接続配線）
７  端子
８  第３の配線（補助配線）
９  発光層
１０  第２電極
１４  表示装置
【図１】
2009301013.tif 000003
【図２】
2009301013.tif 000004
【図３】
2009301013.tif 000005
【図４】
2009301013.tif 000006
【図５】
2009301013.tif 000007
【図６】
2009301013.tif 000008
【図７】
2009301013.tif 000009